(57)【特許請求の範囲】
【請求項１】
少なくとも鋼板をもった躯体を有する原子力プラント用の躯体構造物において、
床面上に対向して配置されるとともに、互いに向き合う鋼板表面を有する一対の躯体と、
一対の躯体の鋼板表面上に対向して固定されるとともに、上方が開口している一対の受け台と、
一対の受け台に嵌め込まれる工事機材載置用の架台と、を備えたことを特徴とする躯体構造物。
【請求項２】
一対の受け台は、少なくとも２組設けられ、
架台は、各対の受け台に装着される架台棒と、各架台棒の間に配置される架台床とを有することを特徴とする請求項１記載の躯体構造物。
【請求項３】
各躯体は、壁パネルからなることを特徴とする請求項１又は２のいずれかに記載の躯体構造物。
【請求項４】
各受け台は、複数面を有し、これらの面は対応する躯体の鋼板表面上に折りたたまれることを特徴とする請求項１記載の躯体構造物。
【請求項５】
各受け台は、その横断面が半円形の形状を有し、受け台に装着される架台棒は、受け台に嵌め込まれるよう円柱形状を有することを特徴とする請求項２記載の躯体構造物。
【請求項６】
各受け台は、その横断面が多角形の形状を有し、受け台に装着される架台棒は、受け台に嵌め込まれるよう多角柱形状を有することを特徴とする請求項２記載の躯体構造物。
【発明の詳細な説明】
【技術分野】
【０００１】
本発明は、原子力プラント用の躯体構造物に係り、とりわけ床面に工事機材を仮置きせずに、原子力プラント建設を行うことができる躯体構造物に関する。
【背景技術】
【０００２】
原子力プラントを建設するためのＳＣパネル躯体工法（ＳＣ工法）において、機器ユニット、資材等の工事機材が現場に搬入される。機器ユニット、資材等の工事機材を搬入する場合は、壁パネルを床面上に配置した後、屋根（上部床）パネルを壁パネルに取り付ける前に、工事機材を搬入する必要がある。このため、屋根パネルの取り付け工事が遅くならないよう、とりあえず床面に工事機材を仮置きしている。
【発明の開示】
【発明が解決しようとする課題】
【０００３】
しかしながら、仮置きされた多くの工事機材により床面が雑然とすることがある。この場合は、建築仕上げ工事や機器工事を行う際、工事機材を床面から吊り上げた後、再配置して整理し直す必要があり、作業効率が悪かった。
【０００４】
本発明は、このような点を考慮してなされたものであり、床面に工事機材を仮置きする必要がなく、床面上のスペースを有効に利用できるとともに、工事機材を迅速に配置することのできる原子力プラント用の躯体構造物を提供することを目的とする。
【課題を解決するための手段】
【０００５】
本発明は、少なくとも鋼板をもった躯体を有する原子力プラント用の躯体構造物において、床面上に対向して配置されるとともに、互いに向き合う鋼板表面を有する一対の躯体と、一対の躯体の鋼板表面上に対向して固定されるとともに、上方が開口している一対の受け台と、一対の受け台に嵌め込まれる工事機材６載置用の架台と、を備えたことを特徴とする躯体構造物である。
【０００６】
本発明は、一対の受け台は、少なくとも２組設けられ、架台は、各対の受け台に装着される架台棒と、各架台棒の間に配置される架台床とを有することを特徴とする躯体構造物である。
【０００７】
本発明は、各躯体は、壁パネルからなることを特徴とする躯体構造物である。
【０００８】
本発明は、各受け台は、複数面を有し、これらの面は対応する躯体の鋼板表面上に折りたたまれることを特徴とする躯体構造物である。
【０００９】
本発明は、各受け台は、その横断面が半円形の形状を有し、受け台に装着される架台棒は、受け台に嵌め込まれるよう円柱形状を有することを特徴とする躯体構造物である。
【００１０】
本発明は、各受け台は、その横断面が多角形の形状を有し、受け台に装着される架台棒は、受け台に嵌め込まれるよう多角柱形状を有することを特徴とする躯体構造物である。
【発明の効果】
【００１１】
本発明によれば、躯体に固定された架台に工事機材６を載置することができるので、床面に工事機材６を仮置きする必要がない。このため、床面上のスペースを有効に利用できるとともに、工事機材６を迅速に配置することのできる躯体構造物を提供することができる。
【発明を実施するための最良の形態】
【００１２】
第１の実施の形態
以下、本発明に係る躯体構造物１００の実施の形態について、図面を参照して説明する。ここで、図１乃至図４は本発明の第１の実施の形態を示す図である。なお、以下の実施の形態では、躯体として壁パネル２を用いて説明するが、躯体であれば他のものを用いてもよい。
【００１３】
本実施の形態の躯体構造物１００は、原子力プラントを建設する際の骨組みにあたるものであり、少なくとも鋼板製の表面（鋼板表面）２ａをもった壁パネル２を有する。
【００１４】
図１及び図２に示すように、本実施の形態の躯体構造物１００は、床面１上に対向して配置されるとともに、互いに向き合う鋼板表面２ａを有する一対の壁パネル２と、一対の壁パネル２の鋼板表面２ａ上であって、壁パネル２の両側縁近傍で互いに対向して固定されるとともに、上方が開口している二対の受け台４と、各対の受け台４に嵌め込まれる工事機材６載置用の架台２５とを備えている。なお、図１に示すように、一対の壁パネル２は床面１の両端部に配置され、このため一対の壁パネル２により挟まれた領域が床面１とてなる。
【００１５】
上記構成部材のうち、架台２５は、受け台４に装着される２本の架台棒５と、２本の架台棒５の間に配置されるとともに工事機材６を載置する架台床１５とを有している。また、壁パネル２の鋼板表面２ａに設けられた一対の受け台４は、工場でのプレハブ制作段階で位置決めが行なわれ、溶接等によって壁パネル２の鋼板表面２ａ上に固定される。
【００１６】
図３に示すように、壁パネル２の鋼板表面２ａに設けられた各受け台４は、鋼板表面２ａに当接する当接面１４ａと、一対の側面１４ｂと、底面１４ｃとを有し、その横断面が四角形の形状を有している。また、この受け台４に装着される架台棒５は、受け台４に嵌め込まれるよう四角柱形状を有している。
【００１７】
次に、このような構成からなる本実施の形態の作用について述べる。
【００１８】
図１及び図２において、躯体構造物１００上に工事機材６を載置する方法について述べる。まず、上述のように、予め一対の壁パネル２の鋼板表面２ａ上であって、壁パネル２の両側縁近傍において二対の受け台４が互いに対向して固定されている。
【００１９】
次に、このように予め二対の受け台４が設けられ、鋼板表面２ａを有する一対の壁パネル２が床面１の両端部に対向して配置される。
【００２０】
次に、床面１から離れた載置用床（図示せず）上に架台棒５と架台床１５とからなる架台２５を配置される。
【００２１】
次に、載置用床の上に配置した架台２５の架台床１５上に工事機材６を載置される。その後、工事機材６を載置した架台２５の架台棒５に吊りワイヤ８を巻き掛け、架台棒５に巻き掛けた吊りワイヤ８を揚重機７によって持ち上げて操作し、架台２５の架台棒５を載置用床から一対の壁パネル２に設けられた受け台４に装着される。
【００２２】
本実施の形態によれば、図１及び図２に示すように、一対の壁パネル２の一対の受け台４上に、工事機材６載置用の架台２５の架台棒５が嵌め込まれ、この架台２５上に機器ユニット、資材等の工事機材６を載置することができる。
【００２３】
このため、工事機材６を躯体構造物１００内に搬入した場合でも、工事機材６を床面１に仮置きせずにすむので、仮置きした工事機材６を再度床面１から吊上げることなく、床面１を塗装することができ、また床面１上において機器の配管工事をすることができる。さらに、床面１上方に一定のスペースを確保できるので、作業者は床面１上の室内での機器配管工事などを効率よく行うことができる。
【００２４】
また、図１に示すように、二対の受け台４は、床面１の両端部に設けられた一対の壁パネル２の鋼板表面２ａ上であって、壁パネル２の両側縁近傍で互いに対向して固定されており、架台２５の架台棒５は、受け台４に嵌め込まれている。このため、架台棒５の間に配置される架台床１５は、床面１と同程度の面積を有することになる。このため、躯体構造物１００内での工事機材６の配置位置に合わせて、架台２５の架台床１５上に予め工事機材６を整頓して配置することができ、架台２５の架台床１５上に配置された工事機材６を再配置することなく短時間で、躯体構造物１００内に配置することできる。
【００２５】
次に、壁パネル２の鋼板表面２ａに設けられた受け台４の変形例について述べる。
【００２６】
また、図３に示すように、受け台４は、当接面１４ａと、一対の側面１４ｂと、底面１４ｃとを有する四角形の断面形状を有しているが、受け台４の４つの面１４ａ、１４ｂ、１４ｃのうち一対の側面１４ｂと底面１４ｃとが壁パネル２の鋼板表面２ａ上に折りたたまれるように構成してもよい。この場合、工事機材６を載せた架台２５を壁パネル２の受け台４上に配置して、工事機材６を躯体構造物１００内に設置する。次に、受け台４から架台２５を取り外し、その後、受け台４の一対の側面１４ｂと底面１４ｃとを鋼板表面２ａ上に折りたたんで、壁パネル２の鋼板表面２ａ上にコンクリートを塗ることができる。このため、受け台４を壁パネル２の鋼板表面２ａから取り外す必要が無くなり、より簡単に建築物を完成させることができる。
【００２７】
また、図４（ａ）に示すように、横断面が半円形の形状を有する受け台４ａを用いるとともに、その受け台４ａに嵌め込まれるよう円柱形状を有する架台棒５ａを用いることができる。このように、受け台４の横断面を半円形とすることで、架台２５の架台床１５上に載せた工事機材６からの重みを均等に壁パネル２に伝えることができるので、より重い工事機材６を架台２５の架台床１５に載せることができる。
【００２８】
また、図４（ｂ）に示すように、横断面が三角形の形状を有する受け台４ｂを用いるとともに、その受け台４ｂに嵌め込まれるよう三角柱形状を有する架台棒５ｂを用いることができる。このように、受け台４ｂの横断面を三角形とすることで、壁パネル２に対する架台２５の位置をより堅固に固定することができる。
【００２９】
なお、壁パネル２は圧力プラントの柱などの他の躯体よりも頑丈な構造をしているので、他の躯体を用いた場合よりも、重い工事機材６を架台２５の架台床１５上に載せることができる。
【００３０】
第２の実施の形態
次に図５により本発明の第２の実施の形態について説明する。図５に示す第２の実施の形態は一対の壁パネル２の鋼板表面２ａ上であって、壁パネル２の両側縁近傍で互いに対向して固定される二対の受け台４を用いる代わりに、一対の壁パネル２の鋼板表面２ａ上であって、壁パネル２の両側縁近傍の間に延在するとともに、互いに対向して固定される一対の受け台４を用いたものである。また２本の架台棒５と、この２本の架台棒５の間に配置される工事機材６を載置する架台床１５からなる架台２５を用いる代わりに、一枚の板からなる板状の架台２５が用いられている。図５において、他は図１乃至図４に示す第１の実施の形態と略同一である。
【００３１】
図５に示す第２の実施の形態において、図１乃至図４に示す第１の実施の形態と同一部分には同一符号を付して詳細な説明は省略する。
【００３２】
図５に示すように、一対の壁パネル２の一対の受け台４上に、工事機材６載置用の架台２５が嵌め込まれ、この架台２５上に機器ユニット、資材等の工事機材６を載置することができる。
【００３３】
このため、工事機材６を躯体構造物１００内に搬入した場合でも、工事機材６を床面１に仮置きせずにすむので、仮置きした工事機材６を再度床面１から吊上げることなく、床面１を塗装することができ、また床面１上において機器の配管工事をすることができる。さらに、床面１上方に一定のスペースを確保できるので、作業者は床面１上の室内での機器配管工事などを効率よく行うことができる。
【００３４】
また、図５に示すように、一対の受け台４は、床面１の両端部に設けられた一対の壁パネル２の鋼板表面２ａ上であって、壁パネル２の両側縁近傍の間に延在するとともに、互いに対向して固定されている。さらに、架台２５は、一対の受け台４に嵌め込まれている。このため、架台２５は、床面１と同程度の面積を有することになる。このため、躯体構造物１００内での工事機材６の配置位置に合わせて、架台２５上に予め工事機材６を整頓して配置することができ、架台２５上に配置された工事機材６を再配置することなく短時間で、躯体構造物１００内に配置することできる。
【００３５】
図５に示すように、架台２５は一枚の板からなるので、容易かつ安価に架台２５を準備することができる。また、架台２５を嵌め込む受け台４は、広い表面積で壁パネル２に固定されているので、より重い工事機材６を架台２５上に載置することができる。
【図面の簡単な説明】
【００３６】
【図１】本発明による躯体構造物の第１の実施の形態を示す斜視図。
【図２】本発明による躯体構造物の第１の実施の形態を示す側面図。
【図３】本発明による躯体構造物の第１の実施の形態における受け台と架台棒を示す構成図。
【図４】本発明による躯体構造物の第１の実施の形態における受け台と架台棒の変形例を示す構成図。
【図５】本発明による躯体構造物の第２の実施の形態を示す構成図。
【符号の説明】
【００３７】
１    床面
２    壁パネル
２ａ    鋼板表面
４、４ａ、４ｂ    受け台
５、５ａ、５ｂ    架台棒
６    工事機材
７    揚重機
８    吊りワイヤ
１４ａ    当接面
１４ｂ    側面
１４ｃ    底面
１５    架台床
２５    架台
１００    躯体構造物
【図１】
0004410164.tif 000002
【図２】
0004410164.tif 000003
【図３】
0004410164.tif 000004
【図４】
0004410164.tif 000005
【図５】
0004410164.tif 000006